(57)【要約】【課題】製造工程の簡便化を図った光送受信モジュール組立治具を提供する。【解決手段】光ファイバ１３を保持するＶ溝１９が形成された光ファイバ保持部材１２と前記光ファイバ１３から露出された光ファイバ心線１８を保持するＶ溝２０が形成された整列部材１１からなる光送受信モジュール組立治具であって、前記Ｖ溝１９の軸方向の延長が前記Ｖ溝２０に交差し、前記Ｖ溝１９の軸方向と前記Ｖ溝２０の軸方向とが鉛直平面を形成するように、前記光ファイバ保持部材１２と前記整列部材１１を配置したものである。【選択図】        図１
2004151494.tif 000002
【特許請求の範囲】
【請求項１】
光ファイバを保持する光ファイバ保持部と、前記光ファイバから露出される光ファイバ心線を保持する光ファイバ心線保持部とを備え、前記光ファイバ保持部に保持される光ファイバの光軸と前記光ファイバ心線保持部に保持される光ファイバ心線の光軸とが鉛直平面を形成し、且つ前記光ファイバ保持部に保持される光ファイバの光軸の延長が、前記光ファイバ心線保持部に保持される光ファイバ心線の光軸に交差するように前記光ファイバ保持部と前記光ファイバ心線保持部とを配置したことを特徴とする光送受信モジュール組立治具。
【請求項２】
上記光ファイバ保持部及び上記光ファイバ心線保持部がそれぞれ直線状のＶ溝であることを特徴とする請求項１に記載の光送受信モジュール組立治具。
【請求項３】
上記光ファイバ保持部が直線状の貫通孔であり、上記光ファイバ心線保持部が直線状のＶ溝であることを特徴とする請求項１に記載の光送受信モジュール組立治具。
【請求項４】
上記光ファイバ心線保持部にファイバガイドを設けたことを特徴とする請求項３に記載の光送受信モジュール組立治具。
【請求項５】
光ファイバ保持部材とこの光ファイバ保持部材と一体の整列部材とからなり、前記光ファイバ保持部材の表面に光ファイバを保持するＶ溝が形成され、前記整列部材の表面に光ファイバから露出された光ファイバ心線を光電変換素子に導くＶ溝が形成され、且つ前記光ファイバ保持部材に形成されたＶ溝に保持される光ファイバの光軸の延長が前記整列部材に形成されたＶ溝に保持される光ファイバ心線の光軸に交差し、且つ前記光ファイバ保持部材に形成されたＶ溝に保持される光ファイバの光軸と前記整列部材に形成されたＶ溝に保持される光ファイバ心線の光軸とが鉛直平面を形成するようにしたことを特徴とする光送受信モジュール組立治具。
【請求項６】
光ファイバ保持部材とこの光ファイバ保持部材と一体の整列部材とからなり、前記光ファイバ保持部材に光ファイバを保持する貫通孔が形成され、光ファイバから露出された光ファイバ心線を光電変換素子に導くべくＶ溝が前記整列部材の表面に形成され、且つ前記光ファイバ保持部材に形成された貫通孔に保持される光ファイバの光軸の延長が前記整列部材に形成されたＶ溝に保持され光ファイバ心線の光軸に交差し、且つ前記光ファイバ保持部材に形成された貫通孔に保持される光ファイバの光軸と前記整列部材に形成されたＶ溝に保持される光ファイバの光軸とが鉛直平面を形成することを特徴とする光送受信モジュール組立治具。
【請求項７】
前記光ファイバが短尺光ファイバ付きフェルールであることを特徴とする請求項１乃至請求項６のいずれかに記載の光送受信モジュール組立治具。
【請求項８】
光ファイバ保持部材とこの光ファイバ保持部材と一体の整列部材とからなる光送受信モジュール組立治具の前記光ファイバ保持部材の表面に形成された光ファイバ保持用Ｖ溝に光ファイバを保持し、前記整列部材の表面に形成された光ファイバ心線保持用Ｖ溝であって、前記光ファイバ保持用Ｖ溝に保持された前記光ファイバの光軸の延長が交差し、且つ前記光ファイバの光軸と当該光ファイバ心線保持用Ｖ溝に保持される光ファイバ心線の光軸とが鉛直平面を形成するように形成された前記光ファイバ心線保持用Ｖ溝に、前記光ファイバから露出された前記光ファイバ心線を配置してなることを特徴とする光モジュール。
【請求項９】
短尺光ファイバ付きフェルール保持部材とこの短尺光ファイバ付きフェルール保持部材と一体の整列部材とからなる光送受信モジュール組立治具の前記短尺光ファイバ付きフェルール保持部材の表面に形成された短尺光ファイバ付きフェルール保持用Ｖ溝に短尺光ファイバ付きフェルールを保持し、前記整列部材の表面に形成された光ファイバ心線保持用Ｖ溝であって、前記短尺光ファイバ付きフェルール保持用Ｖ溝に保持された短尺光ファイバ付きフェルールの光軸の延長が交差し、且つ前記短尺光ファイバ付きフェルールの光軸と当該光ファイバ心線保持用Ｖ溝に保持される光ファイバ心線の光軸とが鉛直平面を形成するように形成された前記光ファイバ心線保持用Ｖ溝に、前記短尺光ファイバ付きフェルールから露出された前記光ファイバ心線を配置してなることを特徴とする光モジュール。
【請求項１０】
短尺光ファイバ付きフェルール保持部材とこの短尺光ファイバ付きフェルール保持部材と一体の整列部材とからなる光送受信組立治具の前記短尺光ファイバ付きフェルール保持部材に形成された短尺光ファイバ付きフェルール保持用貫通孔に短尺光ファイバ付きフェルールを保持し、前記整列部材の表面に形成された光ファイバ心線保持用Ｖ溝であって、前記短尺光ファイバ付きフェルール保持用貫通孔に保持された前記短尺光ファイバ付きフェルールの光軸の延長が交差し、且つ前記短尺光ファイバ付きフェルールの光軸と当該光ファイバ心線保持用Ｖ溝に保持される光ファイバ心線の光軸とが鉛直平面を形成するように形成された前記光ファイバ心線保持用Ｖ溝に、前記短尺光ファイバ付きフェルールから露出された前記光ファイバ心線を配置してなることを特徴とする光モジュール。
【請求項１１】
前記光ファイバ心線保持用Ｖ溝の延長上に光電変換素子が設けられていることを特徴とする請求項８乃至１０のいずれかに記載の光送受信モジュール。
【発明の詳細な説明】
【０００１】
【発明の属する技術分野】
本発明は、光信号を電気信号、或いは電気信号を光信号に変換する光送受信モジュール及びその製造に用いる光送受信モジュール組立治具に関する。
【０００２】
【従来の技術】
光信号を電気信号、或いは電気信号を光信号に変換する光送受信モジュールは、通常光信号入出力のための光ファイバとフォトダイオード、レーザーダイオードなどの光電変換素子から構成されている。光送受信モジュールにおいては、フォトダイオード、レーザーダイオードなどの光電変換素子と光ファイバを効率よく結合させる必要がある。そのため、構成部品の光軸を極めて高精度に配置し、高い結合効率でこれら素子を高精度に位置決め配置する手段として、Ｖ溝を形成した光ファイバ整列部材を用いる方法が広く利用されている。
【０００３】
Ｖ溝接続法による従来の光受信モジュールの一例を図９に示す。
図９において、光受信モジュールは、端部に光ファイバ１０３を保持する光ファイバ保持部材１０２を持つ基体１１０と、基体１１０に設けられ、光ファイバ１０３から露出される光ファイバ心線１０７を保持する光ファイバ心線保持部材１０１とを備える。また、光ファイバ保持部材１０２と反対側の光ファイバ心線保持部材１０１の側面にフォトダイオード１０４が設けられる。
【０００４】
光ファイバ保持部材１０２の表面には、光ファイバ１０３を保持する直線状のＶ溝１０８が形成され、そこに光ファイバ１０３が保持される。また、光ファイバ心線保持部材１０１の表面には、光ファイバ心線１０７を保持する直線状のＶ溝１０９が、光ファイバ保持部材１０２に形成されたＶ溝１０８の延長上で一致するように形成され、そこに光ファイバ心線１０７が保持される。光ファイバ保持部材１０２に形成されたＶ溝１０８に保持した光ファイバ１０３は、光ファイバ押さえ板１０６により固定される。また、光ファイバ心線保持部材１０１に形成されたＶ溝１０９に保持した光ファイバ心線１０９は、光ファイバ心線押さえ板１０５により固定される。
【０００５】
図１０（ａ），（ｂ），（ｃ）は、光送受信モジュール組立治具を用いて、光ファイバを位置決め配置する工程を示す。ここで、光ファイバを位置決め配置する手順について説明する。
【０００６】
図１０（ａ）に示すように、光ファイバ１０３を光ファイバ保持部材１０２に形成されたＶ溝１０８と光ファイバ心線保持部材１０１に形成されたＶ溝１０９の上方に配置し、光ファイバ心線１０７を水平から下方に数度から数十度傾けて保持する。その後、図１０（ｂ）に示すように、光ファイバ心線保持部材１０１の上方から光ファイバ心線保持部材１０１に形成されたＶ溝１０９上に光ファイバ心線１０７を配置し、光ファイバ心線押さえ板１０５等で、光ファイバ心線保持部材１０１に形成されたＶ溝１０９上に光ファイバ心線１０７を固定する。続いて、図１０（ｃ）に示すように、光ファイバ心線保持部材１０１のＶ溝１０９に保持された光ファイバ心線１０７の光軸方向ｙ２  と光ファイバ１０３の基部の軸方向ｘ２  とが同一軸となるように光ファイバ１０３を光ファイバ保持部材１０２に形成され装置のＶ溝１０８の上に配置し、固定する。
【０００７】
ところで、光ファイバ保管時にクセがつき、光ファイバの被覆部を除去すると、光ファイバ心線には光ファイバの被覆部分に対するソリがつく場合が多い。そのため、台座のＶ溝方向と整列部材のＶ溝方向とに一致するように光ファイバを配置しようとして、光ファイバの先端部或いは基部がＶ溝からはみだしてしまうことがある。この問題を回避するため、図１０（ａ），（ｂ），（ｃ）で示したように、整列部材のＶ溝方向に対して斜め上方から光ファイバを設置することにより、強制的にＶ溝方向に沿わせる方法が取られている。
また、小型化を図った従来の他の光モジュールでも、ソリが付いた光ファイバを位置決め配置する場合には、上記手順を実施する必要がある（例えば、特許文献１参照）。
【０００８】
【特許文献１】
特開平１１−２３７５３３号公報
【０００９】
【発明が解決しようとする課題】
しかしながら、図１０（ａ），（ｂ），（ｃ）に示すような従来の光送信モジュールの製造方法では、光ファイバ保持部材に形成されたＶ溝上に光ファイバを配置する工程において、光ファイバ心線保持部材に形成されたＶ溝の上に光ファイバ心線を配置した状態で光ファイバを仮止めし、その後光ファイバ基部を固定するという煩雑な工程が必要となるため、製造コストが高くなるという問題がある。
【００１０】
このようなことから、本発明は、光送受信モジュール及びその組立治具の構成を簡素化し、少ない組み立て工程で光ファイバを正確に、且つ再現性良く光ファイバ整列部材に形成されたＶ溝の上に配置すると共に、製造コストの低減を図ることを目的としてなされたものである。
【００１１】
【課題を解決するための手段】
前述した課題を解決する第１の発明に係る光送受信モジュール組立治具の構成は、光ファイバを保持する光ファイバ保持部と、前記光ファイバから露出される光ファイバ心線を保持する光ファイバ心線保持部とを備え、前記光ファイバ保持部に保持される光ファイバの光軸と前記光ファイバ心線保持部に保持される光ファイバ心線の光軸とが鉛直平面を形成し、且つ前記光ファイバ保持部に保持される光ファイバの光軸の延長が、前記光ファイバ心線保持部に保持される光ファイバ心線の光軸に交差するように前記光ファイバ保持部と前記光ファイバ心線保持部とを配置したことを特徴とする。
この発明に係る光送受信モジュール組立治具によれば、前記光ファイバ保持部に前記光ファイバ保持される光ファイバの光軸と前記光ファイバ心線保持部に保持される光ファイバ心線の光軸とが鉛直平面を形成し、且つ前記光ファイバ保持部に保持される光ファイバの光軸の延長が、光ファイバ心線保持部に保持される光ファイバ心線の光軸に交差するように光ファイバ保持部と光ファイバ心線保持部とを配置するので、光ファイバ心線を容易に配置できる。
【００１２】
また、第２の発明は、第１の発明に係る光送受信モジュール治具において、上記光ファイバ保持部及び上記光ファイバ心線保持部がそれぞれ直線状のＶ溝であることを特徴とする。
【００１３】
また、第３の発明は、第１の発明に係る光送受信モジュール治具において、
上記光ファイバ保持部が直線状の貫通孔であり、上記光ファイバ心線保持部が直線状のＶ溝であることを特徴とする。
この発明に係る光送受信モジュール治具によれば、光ファイバ保持部材に形成された貫通孔により案内される光ファイバ心線が容易に光ファイバ心線保持部に配置できる。
【００１４】
また、第４の発明は、第１の発明に係る光送受信モジュール治具において、上記光ファイバ心線保持部にファイバガイドを設けたことを特徴とする。
この発明に係る光送受信モジュール治具によれば、ファイバガイドが光ファイバ心線保持部に導く案内となる。
【００１５】
また、第５の発明に係る光送受信モジュール治具は、光ファイバ保持部材とこの光ファイバ保持部材と一体の整列部材とからなり、前記光ファイバ保持部材の表面に光ファイバを保持するＶ溝が形成され、前記整列部材の表面に光ファイバから露出された光ファイバ心線を光電変換素子に導くＶ溝が形成され、且つ前記光ファイバ保持部材に形成されたＶ溝に保持される光ファイバの光軸の延長が前記整列部材に形成されたＶ溝に保持される光ファイバ心線の光軸に交差し、且つ前記光ファイバ保持部材に形成されたＶ溝に保持される光ファイバの光軸と前記整列部材に形成されたＶ溝に保持される光ファイバ心線の光軸とが鉛直平面を形成するようにしたことを特徴とする。
この発明に係る光送受信モジュール治具によれば、前記光ファイバ保持部材に形成されたＶ溝に保持される光ファイバの光軸の延長が前記整列部材に形成されたＶ溝に保持される光ファイバ心線の光軸に交差するように、光ファイバ保持部材と光ファイバ心線保持部材が配置されるので、光ファイバ心線をファイバ心線保持部材に容易に保持することができる。
【００１６】
また、第６の発明に係る光送受信モジュール治具は、光ファイバ保持部材とこの光ファイバ保持部材と一体の整列部材とからなり、前記光ファイバ保持部材に光ファイバを保持する貫通孔が形成され、前記整列部材の表面に光ファイバから露出された光ファイバ心線を光電変換素子に導くＶ溝が形成され、且つ前記光ファイバ保持部材に形成された貫通孔に保持される光ファイバの光軸の延長が前記整列部材に形成されたＶ溝に保持され光ファイバ心線の光軸に交差し、且つ前記光ファイバ保持部材に形成された貫通孔に保持される光ファイバの光軸と前記整列部材に形成されたＶ溝に保持される光ファイバの光軸とが鉛直平面を形成するようにしことを特徴とする。
この発明に係る光送受信モジュール治具によれば、前記光ファイバ保持部材に形成されたＶ溝に保持される光ファイバの光軸の延長が前記整列部材に形成されたＶ溝に保持される光ファイバ心線の光軸に交差するように、光ファイバ保持部材と光ファイバ心線保持部材が配置されるので、光ファイバ心線をファイバ心線保持部材に容易に保持することができる。
【００１７】
また、第７の発明は、第１乃至第６の発明のいずれかに係る光送受信モジュール治具において、前記光ファイバが短尺光ファイバ付きフェルールであることを特徴とする。
この発明に係る光送受信モジュール治具によれば、短尺光ファイバ付きフェルールを光ファイバ心線保持部に容易に配置できる。
【００１８】
また、第８の発明に係る光モジュールは、光ファイバ保持部材とこの光ファイバ保持部材と一体の整列部材とからなる光送受信モジュール組立治具の前記光ファイバ保持部材の表面に形成された光ファイバ保持用Ｖ溝に光ファイバを保持し、前記整列部材の表面に形成された光ファイバ心線保持用Ｖ溝であって、前記光ファイバ保持用Ｖ溝に保持された前記光ファイバの光軸の延長が交差し、且つ前記光ファイバの光軸と当該光ファイバ心線保持用Ｖ溝に保持される光ファイバ心線の光軸とが鉛直平面を形成するように形成された前記光ファイバ心線保持用Ｖ溝に、前記光ファイバから露出された前記光ファイバ心線を配置してなることを特徴とする。
この発明に係る光モジュールによれば、光送受信モジュール組立治具により容易に製造できる。
【００１９】
また、第９の発明に係る光モジュールは、短尺光ファイバ付きフェルール保持部材とこの短尺光ファイバ付きフェルール保持部材と一体の整列部材とからなる光送受信モジュール組立治具の前記短尺光ファイバ付きフェルール保持部材の表面に形成された短尺光ファイバ付きフェルール保持用Ｖ溝に短尺光ファイバ付きフェルールを保持し、前記整列部材の表面に形成された光ファイバ心線保持用Ｖ溝であって、前記短尺光ファイバ付きフェルール保持用Ｖ溝に保持された短尺光ファイバ付きフェルールの光軸の延長が交差し、且つ前記短尺光ファイバ付きフェルールの光軸と当該光ファイバ心線保持用Ｖ溝に保持される光ファイバ心線の光軸とが鉛直平面を形成するように形成された前記光ファイバ心線保持用Ｖ溝に、前記短尺光ファイバ付きフェルールから露出された前記光ファイバ心線を配置してなることを特徴とする。
この発明に係る光モジュールによれば、光送受信モジュール組立治具により容易に製造できる。
【００２０】
また、第１０に係る光モジュールは、短尺光ファイバ付きフェルール保持部材とこの短尺光ファイバ付きフェルール保持部材と一体の整列部材とからなる光送受信組立治具の前記短尺光ファイバ付きフェルール保持部材に形成された短尺光ファイバ付きフェルール保持用貫通孔に、短尺光ファイバ付きフェルールを保持し、前記整列部材の表面に形成された光ファイバ心線保持用Ｖ溝であって、前記短尺光ファイバ付きフェルール保持用貫通孔に保持された前記短尺光ファイバ付きフェルールの光軸の延長が交差し、且つ前記短尺光ファイバ付きフェルールの光軸と当該光ファイバ心線保持用Ｖ溝に保持される光ファイバ心線の光軸とが鉛直平面を形成するように形成された前記光ファイバ心線保持用Ｖ溝に、前記短尺光ファイバ付きフェルールから露出された前記光ファイバ心線を配置してなることを特徴とする。
この発明に係る光モジュールによれば、光送受信モジュール組立治具により容易に製造できる。
【００２１】
また、第１１の発明は、第８乃至第１０の発明のいずれかに係る光モジュールにおいて、前記光ファイバ心線保持用Ｖ溝の延長上に光電変換素子が設けられていることを特徴とする。
この発明に係る光送受信モジュールによれば、光送受信モジュール組立治具により容易に製造できる。
【００２２】
【発明の実施の形態】
本発明による光送受信モジュールの実施の形態を以下に説明する。
【００２３】
図１は本発明の実施の一形態に係る光受信モジュールの斜視図であり、図２はその側面に沿う断面図である。
図１において、光受信モジュールは、光ファイバ１３を保持する光ファイバ保持部材１２を一端部に持つ基体２１と、基体２１に設けられ、光ファイバ１３から露出される光ファイバ心線１８を保持する整列部材１１とを備える。基体２１の他端部には、信号取り出し電極１７が設けられる。信号取り出し電極１７側の整列部材１１の側面にフォトダイオード１４が設けられる。
【００２４】
光ファイバ保持部材１２の表面には、光ファイバ１３を保持する光ファイバ保持用として直線状のＶ溝１９が形成される。基体２１の上面２１ａは、信号取り出し電極１７側から光ファイバ保持部材１２側に向け水平より下方に傾斜角を持つように形成される。この基体２１の上面２１ａにブロック状の整列部材１１が設けられる。したがって、整列部材１１の表面も、光ファイバ保持用部材１２側に水平より下方に傾斜している。
【００２５】
この整列部材１１の表面に、光ファイバ心線１８をフォトダイオード１４に導く光ファイバ心線保持用として直線状のＶ溝２０が形成されている。Ｖ溝１９の延長上は、このＶ溝２０の途中に当たる。つまり、光ファイバ保持部材１２に形成されたＶ溝１９と整列部材１１に形成されたＶ溝２０とは、光ファイバ保持部材１２に形成されたＶ溝１９上に保持される光ファイバ１３の光軸λ１  と整列部材１１に形成されたＶ溝２０上に保持される光ファイバ心線１８の光軸ν１  とが鉛直平面を形成するように、且つ光ファイバ保持部材１２に形成されたＶ溝１９上に保持される光ファイバ１３の光軸λ１  の延長が整列部材１１に形成されたＶ溝２０に保持される光ファイバ心線１８の光軸ν１  に交差するように形成されているのである。
【００２６】
光ファイバ保持部材１２に形成されたＶ溝１９に保持した光ファイバ１３は、光ファイバ押さえ板１６により固定される。整列部材１１に形成されたＶ溝２０に保持した光ファイバ心線１８は、光ファイバ心線押さえ板１５により固定される。
【００２７】
次に、上記光受信モジュールの製造工程について説明する。
最初に、光ファイバ１３の被覆を所定の長さ除去して、光ファイバ心線１８を露出させる。光ファイバ心線１８が整列部材１１に形成されたＶ溝２０上に配置し、光ファイバ１３を光ファイバ保持部材１２の表面に形成されたＶ溝１９の上方から載せる。光ファイバ保持部材１２に形成されたＶ溝１９の上に載せた光ファイバ１３の光軸λ１  と整列部材１１に形成されたＶ溝２０の上に配置した光ファイバ心線１８の光軸ν１  とが交差する位置にあるので、光ファイバ心線１８が自動的に整列部材１１に形成されたＶ溝２０の上に整列配置される。
【００２８】
この後、光ファイバ保持部材１２に形成されたＶ溝１９に光ファイバ押さえ板１６を設置し、接着剤によって固定する。続いて、マーカ位置合わせ技術によりフォトダイオード１４の光軸と光ファイバ心線１８の光軸ν１  との位置を合せて固定し、このフォトダイオード１４と信号取り出し電極１７との間を結線することにより、光受信モジュールが完成する。
【００２９】
このように、本発明の構成品を用いて光受信モジュールを製造することにより、光ファイバ心線１８を整列部材１１に形成されたＶ溝２０上に容易に配置できる。
【００３０】
図３は本発明の第２の実施の形態を示す光受信モジュールの斜視図であり、図４はその側面に沿う断面図である。
図３において、光受信モジュールは、短尺光ファイバ付きフェルール３３を保持する短尺光ファイバ付きフェルール保持部材３２を一端部に持つ基体４１と、基体４１に設けられ、短尺光ファイバ付きフェルール３３から露出される光ファイバ心線３８を保持する整列部材３１とを備える。基体４１の他端部には、信号取り出し電極３７が設けられる。信号取り出し電極３７側の整列部材３１の側面にフォトダイオード３４が設けられる。
【００３１】
光ファイバ保持部材３２の表面には、短尺光ファイバ付きフェルール３３を保持する短尺光ファイバ付きフェルール保持用として直線状のＶ溝３９が形成される。基体３１の上面３１ａは、信号取り出し電極３７側から短尺光ファイバ付きフェルール保持部材３２側に向け水平より下方に傾斜角を持つように形成される。この基体３１の上面３１ａにブロック状の整列部材３１が設けられている。したがって、整列部材３１の表面も、短尺光ファイバ付きフェルール保持部材３２側に向け水平より下方に傾斜している。
【００３２】
この整列部材３１の表面に、光ファイバ心線３８をフォトダイオード３４に導く光ファイバ心線保持用として直線状のＶ溝４０が形成されている。Ｖ溝３９の延長上は、このＶ溝４０の途中に当たる。つまり、短尺光ファイバ付きフェルール保持部材３２に形成されたＶ溝３９と整列部材３１に形成されたＶ溝４０とは、短尺光ファイバ付きフェルール保持部材３２に形成されたＶ溝３９上に保持される短尺光ファイバ付きフェルール３３の光軸λ３  と整列部材３１に形成されたＶ溝４０上に保持される光ファイバ心線３８の光軸ν３  とが鉛直平面を形成するように、且つ短尺光ファイバ付きフェルール保持部材３２に形成されたＶ溝３９上に保持される短尺光ファイバ付きフェルール３３の光軸λ３  の延長が整列部材３１に形成されたＶ溝４０に保持される光ファイバ心線３８の光軸ν３  に交差するように形成されているのである。
【００３３】
短尺光ファイバ付きフェルール保持部材３２に形成されたＶ溝３９に保持した短尺光ファイバ付きフェルール３３は、短尺光ファイバ付きフェルール押さえ板３６により固定される。整列部材３１に形成されたＶ溝４０に保持した光ファイバ心線３８は、光ファイバ心線押さえ板３５により固定される。
【００３４】
次に、上記光受信モジュールの製造工程について説明する。
最初に、短尺光ファイバ付きフェルール３３の被覆を所定の長さ除去して、光ファイバ心線３８を露出させる。光ファイバ心線３８が整列部材３１に形成されたＶ溝４０上に配置し、短尺光ファイバ付きフェルール３３を短尺光ファイバ付きフェルール保持部材３２の表面に形成されたＶ溝３９の上方から載せる。短尺光ファイバ付きフェルール保持部材３２に形成されたＶ溝３９の上に載せた短尺光ファイバ付きフェルール３３の光軸λ３  と整列部材３１に形成されたＶ溝４０の上に配置した光ファイバ心線３８の光軸ν３  とが交差する位置にあるので、光ファイバ心線３８が自動的に整列部材３１に形成されたＶ溝４０の上に整列配置される。
【００３５】
この後、短尺光ファイバ付きフェルール保持部材３２に形成されたＶ溝３９に短尺光ファイバ付きフェルール押さえ板３６を設置し、接着剤によって固定する。続いて、マーカ位置合わせ技術によりフォトダイオード３４の光軸と光ファイバ心線３８の光軸ν３  との位置を合せて固定し、このフォトダイオード３４と信号取り出し電極３７との間を結線することにより、光受信モジュールが完成する。
【００３６】
このように、本発明の構成品を用いて光受信モジュールを製造することにより、光ファイバ心線３８を整列部材３１に形成されたＶ溝４０上に容易に配置できる。
【００３７】
図５は本発明の第３の実施の形態を示す光受信モジュールの斜視図であり、図６はその側面に沿う断面図である。
図５において、光送信モジュールは、短尺光ファイバ付きフェルール５３を保持する短尺光ファイバ付きフェルール保持部材５２を一端部に持つ基体６１と、基体６１に設けられ、光ファイバ５３から露出される光ファイバ心線５８を保持する整列部材５１とを備える。基体６１の他端部には、信号取り出し電極５７が設けられる。整列部材５１の上面の信号取り出し電極５７側に端面入射型フォトダイオード５４が設けられる。
【００３８】
光ファイバ保持部材５２には、短尺光ファイバ付きフェルール５３を保持する短尺光ファイバ付きフェルール保持用として直線状の貫通孔５９が形成される。基体５１の上面５１ａは、信号取り出し電極５７側から短尺光ファイバ付きフェルール保持部材５２側に向け水平より下方に傾斜角を持つように形成される。この基体５１の上面５１ａにブロック状の整列部材５１が設けられている。したがって、整列部材５１の表面も、短尺光ファイバ付きフェルール保持部材５２する側に向け水平より下方に傾斜している。
【００３９】
この整列部材５１の表面に、光ファイバ心線５８を端面入射型フォトダイオード５４に導く直線状のＶ溝６０が形成されている。また、整列部材５１に形成されたＶ溝６０の貫通孔５９側にファイバガイド５６が形成される。ただし、短尺光ファイバ付きフェルール保持部材５２に形成された貫通孔５９と整列部材５１に形成されたＶ溝６０とは、短尺光ファイバ付きフェルール保持部材５２に形成された貫通孔５９上に保持される短尺光ファイバ付きフェルール５３の光軸λ５  と整列部材５１に形成されたＶ溝６０上に保持される光ファイバ心線５８の光軸ν５  とが鉛直平面を形成するように、且つ短尺光ファイバ付きフェルール保持部材５２に形成された貫通孔５９に保持される短尺光ファイバ付きフェルール５３の光軸λ５  の延長が整列部材５１に形成されたＶ溝６０に保持される光ファイバ心線５８の光軸ν５  に交差するように形成されているのである。
【００４０】
ファイバガイド５６を有し、端面入射型フォトダイオード５４へ導くＶ溝６０に保持した光ファイバ心線５８は、光ファイバ心線押さえ板５５により固定される。
【００４１】
次に、上記光受信モジュールの製造工程について説明する。
最初に、短尺光ファイバ付きフェルール５３の被覆を所定の長さ除去して、光ファイバ心線５８を露出させる。短尺光ファイバ付きフェルール５３のフェルールを短尺光ファイバ付きフェルール保持部材５２に形成された貫通孔５９に側面から挿入する。短尺光ファイバ付きフェルール保持部材５２に形成された貫通孔５９に挿入した短尺光ファイバ付きフェルール５３の光軸λ５  と整列部材５１に形成されたＶ溝６０の上に配置した光ファイバ心線５８の光軸ν５  とが交差する位置にあるので、光ファイバ心線５８が自動的に整列部材５１に形成されたＶ溝６０の上に整列配置される。
【００４２】
この後、短尺光ファイバ付きフェルール保持部材５２に形成されたＶ溝５９に短尺光ファイバ付きフェルール押さえ板５６を設置し、接着剤によって固定する。続いて、マーカ位置合わせ技術によりこのフォトダイオード５４の光軸と光ファイバ心線５８の光軸ν５  との位置を合せて固定し、このフォトダイオード５４と信号取り出し電極５７との間を結線することにより、光受信モジュールが完成する。
【００４３】
このように、本発明の構成品を用いて光受信モジュールを製造することにより、光ファイバ心線５８を整列部材５１に形成されるのＶ溝６０上に容易に配置できる。
【００４４】
図７は本発明の第４の実施の形態を示す光受信モジュールの斜視図であり、図８はその側面に沿う断面図である。
図７において、光送信モジュールは、短尺光ファイバ付きフェルール７３を保持する短尺光ファイバ付きフェルール保持部材７２を一端部に持つ基体８１と、基体８１に設けられ、光ファイバ５３から露出される光ファイバ心線７８を保持する整列部材７１とを備える。基体８１の他端部には、信号取り出し電極５７が設けられる。整列部材７１の上面の信号取り出し電極７７側に端面入射型フォトダイオード７４が設けられる。
【００４５】
光ファイバ保持部材７２には、短尺光ファイバ付きフェルール７３を保持する短尺光ファイバ付きフェルール保持用として直線状の貫通孔７９が形成され、且つ短尺光ファイバ付きフェルール７３挿入側から整列部材７１側に向け水平より下方に傾斜を持つように形成される。この貫通孔７９が短尺光ファイバ付きフェルール７３を保持する。したがって、短尺光ファイバ付きフェルール７３も整列部材７１側に向け水平より下方に傾斜している。
【００４６】
この整列部材７１の表面に、光ファイバ心線７８を端面入射型フォトダイオード７４に導く直線状のＶ溝８０が形成されている。また、整列部材７１に形成されたＶ溝８０の貫通孔７９側にファイバガイド７６が形成される。貫通孔７９の延長上は、このＶ溝８０の途中に当たる。つまり、短尺光ファイバ付きフェルール保持部材７２に形成された貫通孔７９と整列部材７１に形成されたＶ溝８０とは、短尺光ファイバ付きフェルール保持部材７２に形成された貫通孔７９上に保持される短尺光ファイバ付きフェルール７３の光軸λ７  と整列部材７１に形成されたＶ溝８０上に保持される光ファイバ心線７８の光軸ν７  とが鉛直平面を形成するように、且つ短尺光ファイバ付きフェルール保持部材７２に形成された貫通孔７９に保持される短尺光ファイバ付きフェルール７３の光軸λ７  の延長が整列部材７１に形成されたＶ溝８０に保持される光ファイバ心線７８の光軸ν７  に交差するように形成されているのである。
【００４７】
ファイバガイド７６を有し、端面入射型フォトダイオード７４へ導くＶ溝８０に保持した光ファイバ心線７８は、光ファイバ心線押さえ板７５により固定される。
【００４８】
次に、上記光受信モジュールの製造工程について説明する。
最初に、短尺光ファイバ付きフェルール７３の被覆を所定の長さ除去して、光ファイバ心線７８を露出させる。短尺光ファイバ付きフェルール７３のフェルールを短尺光ファイバ付きフェルール保持部材７２に形成された貫通孔７９に側面から挿入する。短尺光ファイバ付きフェルール保持部材５２に形成された貫通孔７９に挿入した短尺光ファイバ付きフェルール７３の光軸λ７  と整列部材７１に形成されたＶ溝８０の上に配置した光ファイバ心線７８の光軸ν７  とが交差する位置にあるので、光ファイバ心線７８が自動的に整列部材７１に形成されたＶ溝８０の上に整列配置される。
【００４９】
この後、短尺光ファイバ付きフェルール保持部材７２に形成されたＶ溝７９に短尺光ファイバ付きフェルール押さえ板７６を設置し、接着剤によって固定する。続いて、マーカ位置合わせ技術により端面入射型フォトダイオード７４の光軸と光ファイバ心線７８の光軸ν７  との位置を合せて固定し、このフォトダイオード７４と信号取り出し電極７７との間を結線することにより、光受信モジュールが完成する。
【００５０】
このように、本発明の構成品を用いて光受信モジュールを製造することにより、光ファイバ心線７８を整列部材７１に形成されたＶ溝８０上に容易に配置できる。
【００５１】
また、上記実施の形態は、基体の上面が光ファイバ信号取り出し電極側から光ファイバ保持部材側に向け水平より下方に傾斜角を持つように形成したり、光ファイバ保持部材のＶ溝の軸方向が信号取り出し電極側に向け水平より下方に傾斜角を持つように形成する例であるが、他の構造、例えば整列部材の上面が信号取り出し電極側から光ファイバ保持部材側に向け水平より下方に傾斜角を持つように形成したものでもよいし、整列部材のＶ溝の軸方向が信号取り出し電極側から光ファイバ保持部材側に向け水平より下方に傾斜角を持つように形成したものであってもよい。
【００５２】
【発明の効果】
第１の発明に係る光送受信モジュール組立治具によれば、光ファイバを保持する光ファイバ保持部と、前記光ファイバから露出される光ファイバ心線を保持する光ファイバ心線保持部とを備え、前記光ファイバ保持部に保持される光ファイバの光軸と前記光ファイバ心線保持部に保持される光ファイバ心線の光軸とが鉛直平面を形成し、且つ前記光ファイバ保持部に保持される光ファイバの光軸の延長が、前記光ファイバ心線保持部に保持される光ファイバ心線の光軸に交差するように前記光ファイバ保持部と前記光ファイバ心線保持部とが配置されるので、光ファイバ心線に曲がりくせがあったとしても、光ファイバ心線を容易に配置でき、製造工程の簡便化が図れる。
【００５３】
また、第２の発明に係る光送受信モジュール組立治具によれば、Ｖ溝により、光ファイバ心線に曲がりくせがあったとしても、光ファイバを容易に配置でき、製造工程の簡便化が図れる。
【００５４】
また、第３の発明に係る光送受信モジュール組立治具によれば、貫通孔により案内される光ファイバ心線が容易に光ファイバ心線保持部に配置でき、製造工程の簡便化が図れる。
【００５５】
また、第４の発明に係る光送受信モジュール組立治具によれば、光ファイバ心線に曲がりくせがあったとしても、ファイバガイドが光ファイバ心線を光ファイバ心線保持部に導く案内となり、製造工程の簡便化が図れる。
【００５６】
また、第５の発明に係る光送受信モジュール組立治具によれば、光ファイバ保持部材とこの光ファイバ保持部材と一体の整列部材とからなり、前記光ファイバ保持部材の表面に光ファイバを保持するＶ溝が形成され、前記整列部材の表面に光ファイバから露出された光ファイバ心線を光電変換素子に導くＶ溝が形成され、且つ前記光ファイバ保持部材に形成されたＶ溝に保持される光ファイバの光軸の延長が前記整列部材に形成されたＶ溝に保持される光ファイバ心線の光軸に交差し、且つ前記光ファイバ保持部材に形成されたＶ溝に保持される光ファイバの光軸と前記整列部材に形成されたＶ溝に保持される光ファイバ心線の光軸とが鉛直平面を形成するので、光ファイバ心線に曲がりくせがあったとしても、光ファイバ心線を前記整列部材のＶ溝上に容易に導き、製造工程の簡便化が図れる。
【００５７】
また、第６の発明に係る光送受信モジュール組立治具によれば、光ファイバ保持部材とこの光ファイバ保持部材と一体の整列部材とからなり、前記光ファイバ保持部材に光ファイバを保持する貫通孔が形成され、光ファイバから露出された光ファイバ心線を光電変換素子に導くべくＶ溝が前記整列部材の表面に形成され、且つ前記光ファイバ保持部材に形成された貫通孔に保持される光ファイバの光軸の延長が前記整列部材に形成されたＶ溝に保持され光ファイバ心線の光軸に交差し、且つ前記光ファイバ保持部材に形成された貫通孔に保持される光ファイバの光軸と前記整列部材に形成されたＶ溝に保持される光ファイバの光軸とが鉛直平面を形成するので、光ファイバ心線に曲がりくせがあったとしても、光ファイバ心線を前記整列部材のＶ溝上に容易に導き、製造工程の簡便化が図れる。
【００５８】
また、第７の発明に係る光送受信モジュール組立治具によれば、短尺光ファイバ付きフェルールの光ファイバ心線に曲がりくせがあったとしても、光ファイバ心線を前記整列部材のＶ溝上に容易に導き、製造工程の簡便化が図れる。
【００５９】
また、第８の発明に係る光モジュールによれば、光ファイバ保持部材とこの光ファイバ保持部材と一体の整列部材とからなる光送受信モジュール組立治具の前記光ファイバ保持部材の表面に形成された光ファイバ保持用Ｖ溝に光ファイバを保持し、前記整列部材の表面に形成された光ファイバ心線保持用Ｖ溝であって、前記光ファイバ保持用Ｖ溝に保持された前記光ファイバの光軸の延長が交差し、且つ前記光ファイバの光軸と当該光ファイバ心線保持用Ｖ溝に保持される光ファイバ心線の光軸とが鉛直平面を形成するように形成された前記光ファイバ心線保持用Ｖ溝に、前記光ファイバから露出された前記光ファイバ心線を配置するので、光ファイバ心線に曲がりくせがあったとしても、光ファイバ心線を前記整列部材のＶ溝上に容易に導き、製造コストの削減が図れる。
【００６０】
また、第９の発明に係る光モジュールによれば、短尺光ファイバ付きフェルール保持部材とこの短尺光ファイバ付きフェルール保持部材と一体の整列部材とからなる光送受信モジュール組立治具の前記短尺光ファイバ付きフェルール保持部材の表面に形成された短尺光ファイバ付きフェルール保持用Ｖ溝に短尺光ファイバ付きフェルールを保持し、前記整列部材の表面に形成された光ファイバ心線保持用Ｖ溝であって、前記短尺光ファイバ付きフェルール保持用Ｖ溝に保持された短尺光ファイバ付きフェルールの光軸の延長が交差し、且つ前記短尺光ファイバ付きフェルールの光軸と当該光ファイバ心線保持用Ｖ溝に保持される光ファイバ心線の光軸とが鉛直平面を形成するように形成された前記光ファイバ心線保持用Ｖ溝に、前記短尺光ファイバ付きフェルールから露出された前記光ファイバ心線を配置するので、光ファイバ心線に曲がりくせがあったとしても、光ファイバ心線を前記整列部材のＶ溝上に容易に導き、製造コストの削減が図れる。
【００６１】
また、第１０の発明に係る光モジュールによれば、短尺光ファイバ付きフェルール保持部材とこの短尺光ファイバ付きフェルール保持部材と一体の整列部材とからなる光送受信組立治具の前記短尺光ファイバ付きフェルール保持部材に形成された短尺光ファイバ付きフェルール保持用貫通孔に、短尺光ファイバ付きフェルールを保持し、前記整列部材の表面に形成された光ファイバ心線保持用Ｖ溝であって、前記短尺光ファイバ付きフェルール保持用貫通孔に保持された前記短尺光ファイバ付きフェルールの光軸の延長が交差し、且つ前記短尺光ファイバ付きフェルールの光軸と当該光ファイバ心線保持用Ｖ溝に保持される光ファイバ心線の光軸とが鉛直平面を形成するように形成された前記光ファイバ心線保持用Ｖ溝に、前記短尺光ファイバ付きフェルールから露出された前記光ファイバ心線を配置するので、光ファイバ心線に曲がりくせがあったとしても、光ファイバ心線を前記整列部材のＶ溝上に容易に導き、製造コストの削減が図れる。
【００６２】
さらに、第１１の発明に係る光送受信モジュールによれば、前記光ファイバ心線保持用Ｖ溝の延長上に光電変換素子が設けられているので、光ファイバ心線と光電変換素子との位置合せが確実になされる。
【図面の簡単な説明】
【図１】本発明の第１の実施の形態の斜視図である。
【図２】本発明の第１の実施の形態の断面図である。
【図３】本発明の第２の実施の形態の斜視図である。
【図４】本発明の第２の実施の形態の断面図である。
【図５】本発明の第３の実施の形態の斜視図である。
【図６】本発明の第３の実施の形態の断面図である。
【図７】本発明の第４の実施の形態の斜視図である。
【図８】本発明の第４の実施の形態の断面図である。
【図９】従来の光モジュールを示す斜視図である。
【図１０】従来の光モジュールの実施の形態を示す断面図である。
【符号の説明】
１１    整列部材
１２    光ファイバ保持部材
１３    光ファイバ
１４    フォトダイオード
１５    光ファイバ心線押さえ板
１６    光ファイバ押さえ板
１７    信号取り出し電極
１８    光ファイバ心線
１９    Ｖ溝
２０    Ｖ溝
２１    基体
２１ａ  基体の上面
【図１】
2004151494.tif 000003
【図２】
2004151494.tif 000004
【図３】
2004151494.tif 000005
【図４】
2004151494.tif 000006
【図５】
2004151494.tif 000007
【図６】
2004151494.tif 000008
【図７】
2004151494.tif 000009
【図８】
2004151494.tif 000010
【図９】
2004151494.tif 000011
【図１０】
2004151494.tif 000012